(57)【要約】【課題】  異常電流、異常電圧、異常温度になった場合に、回路を切断しコントロールユニットの破損、発煙等を防止することのできる内燃機関用点火装置を提供すること。【解決手段】  一次コイル及び２次コイルと、これらのコイルを磁気的に結合させる鉄心と、これらを収納する収納ケースからなる内燃機関用点火装置であって、電源ラインに過電流保護機構を備えたので、電源ラインに異常電流が供給された場合に、回路を切断しコントロールユニットの破損、発煙等を防止することができる。【選択図】  図１
2006283572.tif 000002
【特許請求の範囲】
【請求項１】
一次コイル及び２次コイルと、これらのコイルを磁気的に結合させる鉄心と、これらを収納する収納ケースからなる内燃機関用点火装置であって、
電源ラインに過電流保護機構を備えたことを特徴とする内燃機関用点火装置。
【請求項２】
前記過電流保護機構は、溶断型のヒューズであることを特徴とする請求項１に記載の内燃機関用点火装置。
【請求項３】
前記電源ラインをアルミニューム線或いはニッケル線で接続したことを特徴とする請求項１に記載の内燃機関用点火装置。
【請求項４】
前記電源ラインにセラミック上に印刷形成された保護用抵抗を備えたことを特徴とする請求項１に記載の内燃機関用点火装置。
【請求項５】
前記過電流保護機構は、復帰型のサーモスタット、またはバイメタル、または抵抗体を備えたことを特徴とする請求項１に記載の内燃機関用点火装置。
【請求項６】
一次コイル及び２次コイルと、これらのコイルを磁気的に結合させる鉄心と、これらを収納する収納ケースからなる内燃機関用点火装置であって、
電源ラインに過電圧保護機構を備えたことを特徴とする内燃機関用点火装置。
【請求項７】
一次コイル及び２次コイルと、これらのコイルを磁気的に結合させる鉄心と、これらを収納する収納ケースからなる内燃機関用点火装置であって、
電源ラインに高温度保護機構を備えたことを特徴とする内燃機関用点火装置。
【請求項８】
前記高温度保護機構は、復帰型のサーモスタット、またはバイメタル、または抵抗体を備えたことを特徴とする請求項７に記載の内燃機関用点火装置。
【発明の詳細な説明】
【技術分野】
【０００１】
本発明は、例えば自動車のエンジンの点火プラグにおいて火花放電を発生させる為に高電圧を供給する内燃機関用点火装置に関するものである。
【背景技術】
【０００２】
従来の内燃機関用の点火装置では、セルフシャット等の機能を持つたイグナイタにより、異常電流等の遮断をする。また、点火信号を出力するコントロールユニット内のプログラムを制御し、上記同様、異常電流等の遮断をする。それにより、イグニションコイル、もしくはイグナイタ、点火信号を出力するコントロールユニットまでのハーネス、更にはコントロールユニット内のパターン等の溶損、もしくは発煙、最悪状況下での発火を防ぐものとしていた。
【発明の開示】
【発明が解決しようとする課題】
【０００３】
しかし、従来の内燃機関用点火装置１０は、図２に示すように一次コイル１１及び２次コイルと、これらのコイルを磁気的に結合させる鉄心と、これらを収納する収納ケース１３からなり、１次コイル１１に電力を供給する電源ライン１４から成り、ハーネスの噛み込み、ＧＮＤ浮きのトラブル発生時において、このような構成の内燃機関用点火装置では対応することが出来なかった。
従って、内燃機関用点火装置であるイグニションコイル、もしくはイグナイタ、点火信号を出力するコントロールユニットまでのハーネス、更にはコントロールユニット内のパターン等の溶損、もしくは発煙、最悪状況下での発火の可能性が存在した。
【０００４】
この発明は、上記に鑑み提案されたもので、電源ラインに抵抗体を設けることにより、異常時に回路を切断して信頼性の高い内燃機関用点火装置を提供することを目的とするものである。
【課題を解決するための手段】
【０００５】
上記目的を達成する為に、本発明の内燃機関用点火装置は、一次コイル及び２次コイルと、これらのコイルを磁気的に結合させる鉄心と、これらを収納する収納ケースからなる内燃機関用点火装置であって、電源ラインに過電流保護機構を備えたことを特徴としている。
【０００６】
また、請求項２に記載の発明において、前記過電流保護機構は、溶断型のヒューズであることを特徴とする。
【０００７】
また、請求項３に記載の発明において、前記電源ラインをアルミニューム線或いはニッケル線で接続したことを特徴とする。
【０００８】
また、請求項４に記載の発明において、前記電源ラインにセラミック上に印刷形成された保護用抵抗を備えたことを特徴とする。
【０００９】
また、請求項５に記載の発明において、前記過電流保護機構は、復帰型のサーモスタット、またはバイメタル、または抵抗体を備えたことを特徴とする。
【００１０】
また、請求項６に記載の発明において、一次コイル及び２次コイルと、これらのコイルを磁気的に結合させる鉄心と、これらを収納する収納ケースからなる内燃機関用点火装置であって、電源ラインに過電圧保護機構を備えたことを特徴とする。
【００１１】
また、請求項７に記載の発明において、一次コイル及び２次コイルと、これらのコイルを磁気的に結合させる鉄心と、これらを収納する収納ケースからなる内燃機関用点火装置であって、電源ラインに高温度保護機構を備えたことを特徴とする。
【００１２】
また、請求項８に記載の発明において、前記高温度保護機構は、復帰型のサーモスタット、またはバイメタル、または抵抗体を備えたことを特徴とする。
【発明の効果】
【００１３】
この発明は上記した構成からなるので、以下に説明するような効果を奏することができる。 
【００１４】
請求項１に記載の発明では、一次コイル及び２次コイルと、これらのコイルを磁気的に結合させる鉄心と、これらを収納する収納ケースからなる内燃機関用点火装置であって、電源ラインに過電流保護機構を備えたので、電源ラインに異常が生じた場合、電源が遮断されコントロールユニット内のパターン等の溶損、発煙、発火等を未然に防止することができる。
【００１５】
請求項２に記載の発明では、前記過電流保護機構は、溶断型のヒューズであるので、電源ラインに過電流が流れた場合にヒューズが溶断、もしくは瞬断して内燃機関用点火装置の溶損、発煙等を防止することができる。
【００１６】
請求項３に記載の発明では、前記電源ラインをアルミニューム線或いはニッケル線で接続したので、電源ラインに過電流が流れた場合にアルミニューム線或いはニッケル線が溶断して内燃機関用点火装置の溶損、発煙等を防止することができる。
【００１７】
請求項４に記載の発明では、前記電源ラインにセラミック上に印刷形成された保護用抵抗を備えたので、電源ラインに過電流が流れた場合に印刷形成された保護用抵抗が溶断して内燃機関用点火装置の溶損、発煙等を防止することができる。
【００１８】
請求項５に記載の発明では、前記過電流保護機構は、復帰型のサーモスタット、またはバイメタル、または抵抗体を備えたので、電源ラインに過電流が流れた場合に切断されるとともに、再度復帰することができる。
【００１９】
請求項６に記載の発明では、前記一次コイル及び２次コイルと、これらのコイルを磁気的に結合させる鉄心と、これらを収納する収納ケースからなる内燃機関用点火装置であって、電源ラインに過電圧保護機構を備えたので電源ラインに過電圧が流れた場合に回路が切断され内燃機関用点火装置の溶損、発煙等を防止することができる。
【００２０】
請求項７に記載の発明では、前記一次コイル及び２次コイルと、これらのコイルを磁気的に結合させる鉄心と、これらを収納する収納ケースからなる内燃機関用点火装置であって、電源ラインに高温度保護機構を備えたので、電源ラインの温度が所定値を超えた場合に回路が切断され、装置の溶損、発煙等を防止することができる。
【００２１】
請求項８に記載の発明では、前記高温度保護機構は、復帰型のサーモスタット、またはバイメタル、または抵抗体を備えたので、電源ラインの温度が所定値を超えた場合に回路が切断されるとともに、温度が低下した場合に再度復帰することができる。
【発明を実施するための最良の形態】
【００２２】
電源ラインに異常電流、異常電圧、保証値を超える温度となった場合、回路を切断する保護機構を設けることにより、内燃機関用点火装置の信頼性を向上するという目的を達成できる。
【実施例】
【００２３】
以下、一実施の形態を示す図面に基づいて本発明を詳細に説明する。図１は、本発明に係る内燃機関用点火装置の一例を示す縦断面図である。ここで、内燃機関用点火装置１０は、一次コイル１１及び２次コイルと、これらのコイルを磁気的に結合させる鉄心と、これらを収納する収納ケース１３からなり、１次コイル１１に電力を供給する電源ライン１４に過電流保護機構１５を備えている。
【００２４】
過電流保護機構１５は、例えば、溶断型のヒューズまたは、アルミニューム線或いはニッケル線を使用してもよい。更に、過電流保護機構１５は、セラミック上に印刷形成された保護用抵抗であってもよい。
【００２５】
過電流保護機構１５は、また復帰型のサーモスタット、またはバイメタル、または抵抗体であってもよい。このように構成した内燃機関用点火装置１０は、電源ライン１４に過剰電流が供給されると、回路が切断されてコントロールユニット内のパターン等の破損を防止することができる。したがって、内燃機関用点火装置１０の信頼性を向上できる。
【００２６】
本発明の第２の実施の形態は、内燃機関用点火装置１０の電源ライン１４に過電圧保護機構１６を備えたものである。このように構成した内燃機関用点火装置１０は、電源ライン１４に過剰電圧が供給されると、回路が切断されてコントロールユニット内のパターン等の破損を防止することができる。
【００２７】
本発明の第３の実施の形態は、内燃機関用点火装置１０の電源ライン１４に高温度保護機構１７を備えたものである。高温度保護機構１７として、復帰型のサーモスタット、またはバイメタル、または抵抗体を使用することができる。
【００２８】
以上のように構成した内燃機関用点火装置１０は、電源ライン１４の周囲が異常温度となった場合に、回路が切断されてコントロールユニットまでのハーネスやパターン等の破損を防止することができる。したがって、内燃機関用点火装置１０の信頼性を向上することができる。
【図面の簡単な説明】
【００２９】
【図１】図１は、本発明に係る内燃機関用点火装置の一例を示す縦断面図である。
【図２】図２は、従来の内燃機関用点火装置の概略構成を示す縦断面図である。
【符号の説明】
【００３０】
１０      内燃機関用点火装置
１１      一次コイル
１３      収納ケース
１４      電源ライン
１５      過電流保護機構
１６      過電圧保護機構
１７      高温度保護機構
【図１】
2006283572.tif 000003
【図２】
2006283572.tif 000004